【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
セラミック粒子を製造するための方法であって、
複数の粒子開口部または粒子キャビティの少なくとも一方を含むモールドを提供する工程と、
溶融物を、複数の粒子開口部または粒子キャビティの少なくとも一方の少なくとも一部に導入する工程と、
前記複数の粒子開口部または粒子キャビティの少なくとも一方の前記溶融物を少なくとも部分的に冷却して、ガラスを含むセラミック粒子を提供する工程と、
前記セラミック粒子を熱処理して、前記ガラスの少なくとも一部をガラスセラミック粒子に変換する工程とを含み、前記ガラスセラミックの平均硬度が少なくとも１３ＧＰａである、方法。
【請求項２】
前記溶融物が、
（ａ）溶融物であって、前記溶融物の総重量を基準にして、少なくとも３５重量パーセントのＡｌ２Ｏ３と、Ａｌ２Ｏ３以外の第１の金属酸化物とを含み、前記溶融物の総重量を基準にして、合計で１０重量パーセント以下のＡｓ２Ｏ３、Ｂ２Ｏ３、ＧｅＯ２、Ｐ２Ｏ５、ＳｉＯ２、ＴｅＯ２、およびＶ２Ｏ５を含有する溶融物、
（ｂ）溶融物であって、前記溶融物の総重量を基準にして、少なくとも３５重量パーセントのＡｌ２Ｏ３と、Ａｌ２Ｏ３以外の第１の金属酸化物と、Ａｌ２Ｏ３以外の第２の異なった金属酸化物とを含み、前記Ａｌ２Ｏ３、第１の金属酸化物、および第２の金属酸化物が、合計で、前記溶融物の少なくとも８０重量パーセントを構成し、前記溶融物が、前記溶融物の総重量を基準にして、合計で２０重量パーセント以下のＡｓ２Ｏ３、Ｂ２Ｏ３、ＧｅＯ２、Ｐ２Ｏ５、ＳｉＯ２、ＴｅＯ２、およびＶ２Ｏ５を含有する、溶融物、
（ｃ）Ａｌ２Ｏ３と、ＲＥＯまたはＹ２Ｏ３の少なくとも１つとを含む溶融物であって、前記溶融物の総重量を基準にして、前記溶融物の少なくとも８０重量パーセントが、合計で、前記Ａｌ２Ｏ３と、前記ＲＥＯまたはＹ２Ｏ３の少なくとも１つとを含む、溶融物、
（ｄ）Ａｌ２Ｏ３と、ＲＥＯまたはＹ２Ｏ３の少なくとも１つと、ＺｒＯ２またはＨｆＯ２の少なくとも１つとを含む溶融物であって、前記溶融物の総重量を基準にして、前記溶融物の少なくとも８０重量パーセントが、合計で、前記Ａｌ２Ｏ３と、前記ＲＥＯまたはＹ２Ｏ３の少なくとも１つと、前記ＺｒＯ２またはＨｆＯ２の少なくとも１つとを含む、溶融物、
（ｅ）Ａｌ２Ｏ３と、ＲＥＯまたはＹ２Ｏ３の少なくとも１つとを含む溶融物であって、前記溶融物の少なくとも６０重量パーセントが、合計で、前記Ａｌ２Ｏ３と、前記ＲＥＯまたはＹ２Ｏ３の少なくとも１つとを含み、前記溶融物が、前記溶融物の総重量を基準にして、２０重量パーセント以下のＳｉＯ２と、２０重量パーセント以下のＢ２Ｏ３とを含有する、溶融物、
（ｆ）Ａｌ２Ｏ３と、ＲＥＯまたはＹ２Ｏ３の少なくとも１つと、ＺｒＯ２またはＨｆＯ２の少なくとも１つとを含む溶融物であって、前記溶融物の少なくとも６０重量パーセントが、合計で、前記Ａｌ２Ｏ３と、前記ＲＥＯまたはＹ２Ｏ３の少なくとも１つと、前記ＺｒＯ２またはＨｆＯ２の少なくとも１つとを含み、前記溶融物が、前記溶融物の総重量を基準にして、２０重量パーセント以下のＳｉＯ２と、２０重量パーセント以下のＢ２Ｏ３とを含有する、溶融物、
（ｇ）Ａｌ２Ｏ３と、ＲＥＯまたはＹ２Ｏ３の少なくとも１つとを含む溶融物であって、前記溶融物の少なくとも６０重量パーセントが、前記Ａｌ２Ｏ３と、前記ＲＥＯまたはＹ２Ｏ３の少なくとも１つとを含み、前記溶融物が、前記溶融物の総重量を基準にして、合計で４０重量パーセント以下のＳｉＯ２、Ｂ２Ｏ３、およびＰ２Ｏ５を含有する、溶融物、または
（ｈ）Ａｌ２Ｏ３と、ＲＥＯまたはＹ２Ｏ３の少なくとも１つと、ＺｒＯ２またはＨｆＯ２の少なくとも１つとを含む溶融物であって、前記溶融物の少なくとも６０重量パーセントが、前記Ａｌ２Ｏ３と、前記ＲＥＯまたはＹ２Ｏ３の少なくとも１つと、前記ＺｒＯ２またはＨｆＯ２の少なくとも１つとを含み、前記溶融物が、前記溶融物の総重量を基準にして、合計で４０重量パーセント以下のＳｉＯ２、Ｂ２Ｏ３、およびＰ２Ｏ５を含有する、溶融物
のうちの少なくとも１つを含有し、
前記ガラスを含むセラミック粒子が
（ａ）前記ガラスの総重量を基準にして、少なくとも３５重量パーセントのＡｌ２Ｏ３、およびＡｌ２Ｏ３以外の第１の金属酸化物であって、前記ガラスが、前記ガラスの総重量を基準にして、合計で１０重量パーセント以下のＡｓ２Ｏ３、Ｂ２Ｏ３、ＧｅＯ２、Ｐ２Ｏ５、ＳｉＯ２、ＴｅＯ２、およびＶ２Ｏ５を含有する、Ａｌ２Ｏ３、およびＡｌ２Ｏ３以外の第１の金属酸化物、
（ｂ）前記ガラスの総重量を基準にして、少なくとも３５重量パーセントのＡｌ２Ｏ３、Ａｌ２Ｏ３以外の第１の金属酸化物、およびＡｌ２Ｏ３以外の第２の異なった金属酸化物であって、前記Ａｌ２Ｏ３、第１の金属酸化物、および第２の金属酸化物が、合計で、前記ガラスの少なくとも８０重量パーセントを構成し、前記ガラスが、前記ガラスの総重量を基準にして、合計で２０重量パーセント以下のＡｓ２Ｏ３、Ｂ２Ｏ３、ＧｅＯ２、Ｐ２Ｏ５、ＳｉＯ２、ＴｅＯ２、およびＶ２Ｏ５を含有する、Ａｌ２Ｏ３、Ａｌ２Ｏ３以外の第１の金属酸化物、およびＡｌ２Ｏ３以外の第２の異なった金属酸化物、
（ｃ）Ａｌ２Ｏ３、およびＲＥＯまたはＹ２Ｏ３の少なくとも１つであって、前記ガラスの総重量を基準にして、前記ガラスの少なくとも８０重量パーセントが、合計で、前記Ａｌ２Ｏ３と、前記ＲＥＯまたはＹ２Ｏ３の少なくとも１つとを含む、Ａｌ２Ｏ３、およびＲＥＯまたはＹ２Ｏ３の少なくとも１つ、
（ｄ）Ａｌ２Ｏ３、ＲＥＯまたはＹ２Ｏ３の少なくとも１つ、およびＺｒＯ２またはＨｆＯ２の少なくとも１つであって、前記ガラスの総重量を基準にして、前記ガラスの少なくとも８０重量パーセントが、合計で、前記Ａｌ２Ｏ３と、前記ＲＥＯまたはＹ２Ｏ３の少なくとも１つと、前記ＺｒＯ２またはＨｆＯ２の少なくとも１つとを含む、Ａｌ２Ｏ３、ＲＥＯまたはＹ２Ｏ３の少なくとも１つ、およびＺｒＯ２またはＨｆＯ２の少なくとも１つ、
（ｅ）Ａｌ２Ｏ３、およびＲＥＯまたはＹ２Ｏ３の少なくとも１つであって、前記ガラスの少なくとも６０重量パーセントが、合計で、前記Ａｌ２Ｏ３と、前記ＲＥＯまたはＹ２Ｏ３の少なくとも１つとを含み、前記ガラスが、前記ガラスの総重量を基準にして、２０重量パーセント以下のＳｉＯ２と、２０重量パーセント以下のＢ２Ｏ３とを含有する、Ａｌ２Ｏ３、およびＲＥＯまたはＹ２Ｏ３の少なくとも１つ、
（ｆ）Ａｌ２Ｏ３、ＲＥＯまたはＹ２Ｏ３の少なくとも１つ、およびＺｒＯ２またはＨｆＯ２の少なくとも１つであって、前記ガラスの少なくとも６０重量パーセントが、合計で、前記Ａｌ２Ｏ３と、前記ＲＥＯまたはＹ２Ｏ３の少なくとも１つと、前記ＺｒＯ２またはＨｆＯ２の少なくとも１つとを含み、前記ガラスが、前記ガラスの総重量を基準にして、２０重量パーセント以下のＳｉＯ２と、２０重量パーセント以下のＢ２Ｏ３とを含有する、Ａｌ２Ｏ３、ＲＥＯまたはＹ２Ｏ３の少なくとも１つ、およびＺｒＯ２またはＨｆＯ２の少なくとも１つ、
（ｇ）Ａｌ２Ｏ３、およびＲＥＯまたはＹ２Ｏ３の少なくとも１つであって、前記ガラスの少なくとも６０重量パーセントが、前記Ａｌ２Ｏ３と、前記ＲＥＯまたはＹ２Ｏ３の少なくとも１つとを含み、前記ガラスが、前記ガラスの総重量を基準にして、合計で４０重量パーセント以下のＳｉＯ２、Ｂ２Ｏ３、およびＰ２Ｏ５を含有する、Ａｌ２Ｏ３、およびＲＥＯまたはＹ２Ｏ３の少なくとも１つ、または
（ｈ）Ａｌ２Ｏ３、ＲＥＯまたはＹ２Ｏ３の少なくとも１つ、およびＺｒＯ２またはＨｆＯ２の少なくとも１つであって、前記ガラスの少なくとも６０重量パーセントが、前記Ａｌ２Ｏ３と、前記ＲＥＯまたはＹ２Ｏ３の少なくとも１つと、前記ＺｒＯ２またはＨｆＯ２の少なくとも１つとを含み、前記ガラスが、前記ガラスの総重量を基準にして、合計で４０重量パーセント以下のＳｉＯ２、Ｂ２Ｏ３、およびＰ２Ｏ５を含有する、Ａｌ２Ｏ３、ＲＥＯまたはＹ２Ｏ３の少なくとも１つ、およびＺｒＯ２またはＨｆＯ２の少なくとも１つ
のうちの１つを含むガラスを含む、
請求項１に記載の方法。